(57)【要約】【課題】化粧パネルを交換する際に、化粧パネル以外の周辺部材の着脱を必要とせず、かつ治工具が不要で簡単に交換作業を行う。【解決手段】パネル保持部材１００の上辺をグロメット１２８で固定すると共に、下辺を回転軸として回動動作で挟持位置及び着脱位置に移動させるようにし、かつ着脱位置では３０°から４５°の傾斜角度で保持できるようにしたため、表示パネル部３１２の交換作業が容易となる。また、ビス等の完全にパネル保持部材１００から離間される部材を使用しないため、取り外したときの紛失防止の管理が不要となる。さらに、配線ハーネス１１２を回動軸である下辺側に集中させたため、パネル保持部材１００の移動の際に配線ハーネス１１２を一時的に取り外すといった付加的な作業が不要となり、作業効率が向上する。【選択図】　　　　図７
2004016320.tif 000002
【特許請求の範囲】
【請求項１】
本体に少なくとも図柄を表示する表示装置が設けられ、当該表示装置の一部が前記本体の前面側の開閉カバーに設けられた開口部から視認可能とされた遊技機であって、
前記図柄を視認可能とする前記開口部を含む複数の開口部に取り付けられた化粧パネルと、
前記開口部に対応配置され、前記化粧パネルを上辺側から着脱可能に保持すると共に、当該化粧パネルに装飾された絵柄を内側から照明するための照明装置と前記開閉カバーとの電気配線用ハーネスが下辺側近傍を跨ぐように配線されたパネル保持部材と、
前記パネル保持部材の前記下辺側を回転軸として回動可能に支持し、当該化粧パネルを前記開口部周縁と挟持する挟持位置と、前記化粧パネルを上辺から着脱する着脱位置と、の少なくとも２位置を取り得る支持手段と、
前記支持手段によって支持される前記パネル保持部材が前記装填位置の状態で前記パネル保持部材を固定又は固定解除可能な固定手段と、
を有する遊技機。
【発明の詳細な説明】
【０００１】
【発明の属する技術分野】
本発明は、本体に少なくとも図柄を表示する表示装置が設けられ、当該表示装置の一部が前記本体の前面側の開閉カバーに設けられた開口部から視認可能とされた遊技機に関するものである。
【０００２】
【従来の技術及び発明が解決しようとする課題】
従来より、遊技機、特にパチスロ機では、始動レバーを操作することで、抽選を実行し、周面に複数の図柄が表示された複数列（通常３列）の図柄変動リール（表示装置）を回転させるようにしている。なお、上記のような図柄変動リールを回胴式といい、表示装置としては、この回胴式の他、ベルト駆動式のものや、液晶表示式、７セグメント又はドットマトリクスＬＥＤ表示式のものもある。以下、回胴式の図柄変動リールを例にとり説明する。
【０００３】
遊技機本体の前面には開閉カバーが設けられ、この開閉カバーには矩形状の開口部が設けられ、透明の表示窓が取り付けられている。前記図柄変動リールの一部は、この表示窓から遊技者が視認可能となっている。視認される図柄の形態としては、変動、停止、仮停止等がある。
【０００４】
ところで、近年では、遊技機のテーマが変わると、継続利用可能なものはそのまま残し、交換が必要な部材のみ交換する、所謂リユースを奨励している。しかし、化粧パネルは、上記テーマが変わると、デザインはもちろん、ドットマトリクスＬＥＤ表示器、ＬＣＤ表示器等、ハード仕様の変更もあり、新しい化粧パネルに交換する必要がある。このため、開口部の裏面側に設けられたパネル収容部材に当該化粧パネルを嵌め込み、このパネル収容部材を開口部の裏面側周縁にビス止めして固定するようにしている。これにより、ビスを取り外すことで、化粧パネルの交換が可能となっている（一例として特開平１０−１０８９３９号公報参照）。
【０００５】
なお、パネル収容部材には、化粧パネルの裏面側から照明するためのランプ及びランプ制御ための制御基板で構成された照明装置が配設されている。制御基板には、パチスロ機本体側（又は開閉カバー）の制御装置から電源線や信号線等の電気配線ハーネスが掛け渡されている。
【０００６】
しかしながら、上記ビス止めによるパネル収容部材の固定構造では、ビスを着脱するための工具（ドライバー）が必要であり、取り外しビスを紛失する可能性がある。また、パネル収容部材を完全に開口部周縁から切り離さなければならず、このため、誤ってパネル収容部材を落下させることもあり得る。さらに、制御基板に配線されている電気配線ハーネスをすべて取り外さなければならないため、作業効率が悪い。
【０００７】
本発明は上記事実を考慮し、化粧パネルを交換する際に、化粧パネル以外の周辺部材の着脱を必要とせず、かつ治工具が不要で簡単に交換作業を行うことができる遊技機を得ることが目的である。
【０００８】
【課題を解決するための手段】
請求項１に記載の発明は、本体に少なくとも図柄を表示する表示装置が設けられ、当該表示装置の一部が前記本体の前面側の開閉カバーに設けられた開口部から視認可能とされた遊技機であって、前記図柄を視認可能とする前記開口部を含む複数の開口部に取り付けられた化粧パネルと、前記開口部に対応配置され、前記化粧パネルを上辺側から着脱可能に保持すると共に、当該化粧パネルに装飾された絵柄を内側から照明するための照明装置と前記開閉カバーとの電気配線用ハーネスが下辺側近傍を跨ぐように配線されたパネル保持部材と、前記パネル保持部材の前記下辺側を回転軸として回動可能に支持し、当該化粧パネルを前記開口部周縁と挟持する挟持位置と、前記化粧パネルを上辺から着脱する着脱位置と、の少なくとも２位置を取り得る支持手段と、前記支持手段によって支持される前記パネル保持部材が前記装填位置の状態で前記パネル保持部材を固定又は固定解除可能な固定手段と、を有している。
【０００９】
請求項１に記載の発明によれば、化粧パネルを交換する必要が生じたとき、固定手段を固定解除状態とする。これにより、パネル保持部材は、支持手段による支持（下辺側のみ支持）となり、パネル保持部材の可変側を回転軸として着脱位置へ回動させる。
【００１０】
これにより、パネル保持部材の上辺側から開閉カバーの開口部から離間するため、この上辺側から化粧パネルを取り外し、別の化粧パネルと入れ替えることができる。このとき、電気配線用ハーネスは、パネル保持部材の下辺側から取り回しているため、その位置はほとんど変化しないため、電気配線用ハーネスに取り付けられたコネクタ等の着脱を行わなくても、化粧パネルの交換が可能となる。
【００１１】
化粧パネルの交換が終了すると、下辺側の回転軸として回動し、装填位置とする。これにより、化粧パネルはパネル保持部材と開口部の周縁との間に挟持され保持される。この状態で固定手段によりワンアクションで固定することで交換作業が完了する。
【００１２】
このように、本発明の構造による交換作業では、治工具等が不要であるため、作業性がよい。また、電気配線用ハーネスのコネクタ等の取り外し等、化粧パネルの交換の際に周辺の部材の一時的な退避が不要であるため、作業効率が向上する。
【００１３】
【発明の実施の形態】
図１に示される如く、パチスロ機３００は、本体３０２と、本体３０２の正面に設けられた開閉カバーとしての操作兼装飾部３０３と、で構成されている。
【００１４】
操作兼装飾部３０３は、本体３０２に対して図２の左端を中心に回動することで開閉可能となっている。
【００１５】
操作兼装飾部３０３は、上から装飾部３０４、操作部３０６、払出部３１０とに分類することができる。
【００１６】
装飾部３０４は、内部でランプが点灯することで、表示が透過するような表示パネル部３１２が取り付けられている。また、装飾部３０４の一部として、前記装飾部３０４をアーチ状に囲む立体的な電飾部３０４Ａも設けられている。
【００１７】
装飾部３０４の表示パネル部３１２の中央は、表示窓３１４とされている。表示窓３１４は、前記表示パネル部３１２と一体成型される透明領域で構成されている。
【００１８】
この表示窓３１４の内部には、図柄変動部３１６が設けられ、３個のリール３５０Ａ、３５０Ｂ、３５０Ｃ（以下、総称する場合はリール３５０という）が回転するようになっている。表示パネル部３１２における表示窓３１４の左部には、指標部３１８（図３参照）となっており、表示窓３１４に揃う図柄の状態（列数等）を案内表示している。
【００１９】
また、表示窓３１４の下部には、図２の左から順番にメダル払出枚数を表示する７セグメント表示部３１５Ａ、ジャックゲーム残回数や遊技状態の設定（６段階）表示等を行なう表示部３１５Ｂ、クレジット枚数を表示する７セグメント表示部３１５Ｃが設けられている。
【００２０】
操作部３０６は、略Ｌ字型に屈曲された上面部と前面部とに分けられており、上面部の図２の右端部にはメダル投入部３２０が設けられ、また図２の左端部からは順にキャンセルボタン３５５、１枚ベットボタン３５２Ａ、マックスベットボタン３５２Ｂが設けられている。また、前面部の図２の左端部からは、順に始動レバー３５４、停止ボタン３５６Ａ、３５６Ｂ、３５６Ｃ等が設けられている。
【００２１】
払出部３１０は、メダル排出口３２６と、このメダル排出口３２６から排出されるメダルを受取る受け皿３２８とで構成されている。
【００２２】
図３に示される如く、図柄変動部３１６は、３個のリール３５０Ａ、３５０Ｂ、３５０Ｃは、回転することで図柄が順次前記表示窓３１４から見えるようになり、表示窓３１４の横並びの中央の行に停止した図柄が基本停止図柄となる。なお、この基本停止図柄は、１枚のメダルを投資した場合であり、最大１回のゲームで３枚のメダルを投資でき、この場合は、上行と下行上に停止している図柄、並びに２本の対角線上に停止している図柄が順次メダルの投資数に応じて組み合わせ停止図柄として採用されるようになっている。
【００２３】
前記停止ボタン３５６Ａ、３５６Ｂ、３５６Ｃは、図柄変動部３１６下部に設けられており、各リール３５０Ａ、３５０Ｂ、３５０Ｃに対応している。すなわち、対応するそれぞれのリール３５０Ａ、３５０Ｂ、３５０Ｃの回転を遊技者による停止ボタン３５６Ａ、３５６Ｂ、３５６Ｃの操作で停止させることができる。
【００２４】
また、この停止ボタン３５６Ａ、３５６Ｂ、３５６Ｃの左側に設けられた始動レバー２０を操作（傾倒）することで、各リール３５０Ａ、３５０Ｂ、３５０Ｃが回転を開始するようになっている。なお、この回転は、通常は３個のリール３５０が同時に回転を開始するようになっている。
【００２５】
また、この始動レバー３５４による操作タイミングは、当たり抽選のタイミングとなっており、始動レバー３５４の操作によって、内部のコントローラでは当たり／外れが決定するようになっている。
【００２６】
ここで、抽選が当たりの場合は、フラグ成立となり、その後に当たり図柄が揃うと、当たりとなって、遊技者に有利な状態となる。なお、当たりには大当たり（ビッグボーナス）と通常当たり（レギュラーボーナス）とがあり、それぞれ遊技者に有利な状態の度合いが異なる。当然ビッグボーナスの方がレギュラーボーナスよりも有利である。
【００２７】
前記表示パネル部３１２は、リール３５０に設けられた一部の図柄を露出しつつ（表示窓３１４）、パチスロ機３００の内外を遮蔽し、特にリール３５０及びその周辺機器を保護する役目を有している。
【００２８】
図４及び図５は、操作兼装飾部３０３を背面側から見た斜視図であり、その上下方向中央に、表示パネル部３１２が配設されている。
【００２９】
この表示パネル部３１２は、操作兼装飾部３０３の裏面に配設されたパネル保持部材１００によって保持されている。
【００３０】
パネル保持部材１００は矩形孔１０２が設けられた枠状で、操作兼装飾部３０３に設けられた矩形孔３０３Ａ（図６及び図７参照）と対向している。
【００３１】
パネル保持部材１００における、操作兼装飾部３０３の前記矩形孔３０３Ａとの対向面は、矩形表示パネル部３１２を保持する保持部とされ、矩形孔１０２の内周面から表示パネル部３１２の周縁を受けるリブ１０４が形成されている。
【００３２】
リブ１０４によって保持された表示パネル部３１２は、操作兼装飾部３０３の矩形孔３０３Ａの周縁との間で挟持されることで保持されるようになっている。
【００３３】
また、図６及び図７に示される如く、パネル保持部材１００の上部には、照明用のランプ１０６が配設されている。このランプ１０６は、円筒状でその軸線がパネル保持部材１００の横辺（上辺）と平行に配設され、表示パネル部３１２の幅方向に亘り、裏面側から照明することができるようになっている。なお、ランプ１０６の周囲にはリフレクタ１０８が取り付けられ、ランプ１０６から放射状に照射される光を表示パネル部３１２へ案内するようになっている。
【００３４】
さらに、パネル保持部材１００の矩形孔１０２の周囲（特に下部）には、ランプ１０６を点灯させたり、表示パネル部３１２の裏面側に配設される、前記７セグメント表示部３１５Ａ、表示部３１５Ｂ、７セグメント表示部３１５Ｃ等の表示系統の表示内容を制御するための制御基板１１０が取り付けられている。この制御基板１１０には、操作兼装飾部３０３の他の部分や本体３０２側からの配線ハーネス１１２がコネクタ（図示省略）を介して接続されている。
【００３５】
ここで、本実施の形態の配線ハーネス１１２は、操作兼装飾部３０３の他の部分や本体３０２から、パネル保持部材１００へ掛け渡して取り回すときに、パネル保持部材１００の下辺近傍に集中させている。
【００３６】
このパネル保持部材１００の下部には、前記下辺と平行な回転軸線を持つ、回転支持部１１４が配設されている。
【００３７】
図８及び図９に示される如く、回転支持部１１４は、パネル保持部材１００の下端面の幅方向両端部から下方へ突出する互いに平行な一対の引掛け部１１６と、この一対の引掛け部１１６に対応され、操作兼装飾部３０３の裏面から突出する円筒状のボス部１１８と、このボス部１１８にビス１２０を介して螺合され、前記引掛け部１１８を回転可能に連結する連結部材１２２とで構成されている。
【００３８】
それぞれの引掛け部１１６は、互いに平行な２枚のプレートで構成されており、この引掛け部１１８の突出先端部が円弧状とされ、操作兼装飾部３０３の背面から見て手前側の肉厚面から幅寸法の１／２程度までの切欠部１１６Ａが形成されている。この切欠部１１６Ａの底部は半円状となっている。
【００３９】
この２枚のプレートの間に、前記連結部１２２が収容されるようになっており、収容時に、連結部１２２に形成された円柱状の軸部１２２Ａが切欠部１１６Ａに収容される構造となっている。
【００４０】
連結部材１２２は、前記軸部１２２Ａが形成された矩形ブロック状の保持部１２２Ｂと、この保持部１２２Ｂと一体形成された円筒状の固定部１２２Ｃとで構成されており、固定部１２２Ｃの端面には、前記ボス部１１８を収容する円孔１２２Ｄが形成されている。また、保持部１２２Ｂ側の端面から固定部１２２Ｃの端面側にかけて貫通孔１２２Ｅが設けられており、前記ボス部１１８を収容した状態で、ビス１２０を貫通させ、ボス部１１８に螺合することで、連結部材１２２はボス部１１８に固定される。
【００４１】
このとき、引掛け１１６の切欠部１１６Ａに、連結部材１２２の軸部１２２Ａが収容されているため、パネル保持部材１００は、軸部１２２Ａによって支持されると共に、軸部１２２Ａを中心に回転可能となる。
【００４２】
ここで、連結部材１２２における保持部１２２Ｂの上面には、突起部１２２Ｆが形成されている。この突起部１２２Ｆは、前記パネル保持部材１００に形成されたストッパ部１００Ａの回転軌跡に位置しており、パネル保持部材１００の回転範囲を制限するようになっている。
【００４３】
すなわち、パネル保持部材１００は、前記表示パネル部３１２を操作兼装飾部３０３との間で挟持する挟持位置（ほぼ立設状態）と、この挟持位置を基準として、操作兼装飾部３０３の背面側へ３０°から４５°程度（作業性、操作性及びハーネスの断線防止等を含む、パネル保持部材１００及びその周辺部材の保護、損傷防止上の観点から３５°程度が好ましい）傾斜された着脱位置との間で回動可能となる。
【００４４】
着脱位置では、前記表示パネル部３１２が操作兼装飾部３０３との挟持状態が解除されるため、表示パネル部３１２を取り外し、また別の表示パネル部３１２を装着するといった作業を、パネル保持部材１００を作業者が支えることなく、実行することが可能となっている。また、このパネル保持部材１００の回動範囲において、軸部１２２Ａがパネル保持部材１００の下辺に沿っており、この下辺近傍に配線ハーネス１１２が集中しているため、パネル保持部材１００の回動による配線ハーネス１１２への影響（突っ張ったり、捩れたりすることによる断線、脱落）がない。
【００４５】
図４及び図５に示される如く、パネル保持部材１００の上端面には、３個の固定部１２４が一体形成されている。この固定部１２４は、上記上端面においておおよそ均等配置されている。固定部１２４は、断面略コ字型の縦壁によって形成されている。
【００４６】
この固定部１２４に対応するように、操作兼装飾部３０３には、固定部１２４の３方の縦壁に収容される矩形状の取付部１２６（図５参照）が突出形成されている。
【００４７】
図１０及び図１１に示される如く、この取付部１２６は内方が空洞となっており、対向面には円孔１２６Ａが形成されている。
【００４８】
前記固定部１２４における縦壁の主面、すなわち、背面側の縦壁には前記取付部１２６の円孔１２６Ａよりも若干小径の円孔１２４Ａが設けられ、固定手段としてのスナップ式のグロメット１２８が取り付けられている。
【００４９】
このグロメット１２８は、２部材構成であり、縦割りにされた円筒軸状のグロメット部１２８Ａと、このグロメット部１２８Ａに挿入されたプランジャー部１２８Ｂとで構成されている。グロメット部１２８Ａの縦割りにされた円筒軸状部分は、所謂太鼓状に形成され、その基部側にはフランジ部１２８Ｃが形成されている。
【００５０】
グロメット部１２８Ａには予めプランジャー部１２８Ｂが挿入されており、プランジャー部１２８Ｂの把持部１２８Ｄを押圧し完全挿入された状態（完全挿入状態）では、前記グロメット部１２８Ａがプランジャー部１２８Ｂの軸の外径によって内側から押圧されて縦割り部分で開かれる。また、把持部１２８Ｄを引っ張った状態（未完全挿入状態）では、グロメット部１２８Ａの縦割り部分の外径を拡大するプランジャー部１２８が存在しないため、当該外径が小さくなることが可能な状態となる。
【００５１】
このような構成のグロメット１２８を前記固定部１２４の円孔１２４Ａに予め取り付けておき、プランジャー部１２８Ｂを未完全挿入状態で、グロメット部１２８Ａを取付部１２６の円孔１２６Ａに挿入する。このとき、グロメット部１２８Ａは、取付部１２６の円孔１２６Ａに外側から押圧されるが、内側にはその抵抗がないため、容易に挿入が可能となる。
【００５２】
この状態で、プランジャー部１２８Ｂを完全挿入状態とすると、グロメット部１２８Ａが内側から押圧され、外径が拡大された状態で保持され、この拡径によって円孔１２６Ａからの抜け止めが施される。
【００５３】
すなわち、プランジャー部１２８Ｂの完全挿入、未完全挿入という押圧操作又は引張り操作の何れか一方向の操作（ワンアクションの操作）で、パネル保持部材１００を固定、固定解除することができるようになっている。
【００５４】
以下に本実施の形態の作用を説明する。
（遊技の流れ）
遊技の手順は、まず、メダルが投入済であり、１枚ベットボタン３５２Ａ、マックスベットボタン３５２Ｂによるベットが完了すると、始動レバー３５４を操作する。この時点で当り／外れの抽選がなされ、当りの場合には内部制御的にフラグの成立となる。また、既に、フラグが成立している場合は抽選は実行されない。
【００５５】
この始動レバー３５４の操作後は、リール３５０Ａ、３５０Ｂ、３５０Ｃが回転を開始する。このとき、３個のリール３５０Ａ、３５０Ｂ、３５０Ｃの回転開始時期は、前記抽選の結果に基づく期待値によって異なるように制御される。なお、この回転開始時期の変更制御については後述する。
【００５６】
遊技者は、停止ボタン３５６Ａ、３５６Ｂ、３５６Ｃを操作することで、リール３５０Ａ、３５０Ｂ、３５０Ｃの回転を停止させるが、前記フラグが成立している場合には、的確な目押しタイミングによって当たり図柄を停止させることができる。また、多少の停止操作タイミングのずれはスベリによって矯正される。逆に、フラグが成立していない場合には、目押しを行っても、リール３５０Ａ、３５０Ｂ、３５０Ｃの回転にスベリを生じさせ、当り図柄では停止しないようにする。
【００５７】
前記停止操作によって停止したリール３５０Ａ、３５０Ｂ、３５０Ｃの表示図柄が、当たり図柄で揃った場合には、ボーナスゲーム制御を実行する。
（表示パネル部の交換作業手順）
上記パチスロ機３００には、所定のテーマが存在し、このテーマに基づいて表示パネル部３１２等の絵柄が定められている。このため、遊技の仕様変更等があった場合、表示パネル部３１２等を変えることで、リユースしていた。しかし、従来は、複数のビスで固定されていたパネル保持部材を完全に取り外し、かつ本体からの配線ハーネスも一時的に取り外さなければ、表示パネル部の交換ができなかった。
【００５８】
これに対して本実施の形態では、ビスの取り外しを無くし、かつ配線ハーネス１１２の一時的な取り外しも不要として、簡単な作業でパネル表示部３１２の交換を可能とした。以下、その交換手順を説明する。
【００５９】
まず、操作兼装飾部３０３を開放した状態では、パネル保持部材１００は挟持位置となっており、グロメット１２８のプランジャー部１２８Ｂを引いて、未完全挿入状態とする。この状態を維持して、パネル保持部材１００の上端部を手前に引くと、グロメット部１２８Ａが取付部１２６の円孔１２６Ａに当接する。しかし、このグロメット部１２８Ａは、前記プランジャー部１２８Ｂが未完全挿入状態では、縦割り部分が閉じられるので、抵抗がなくなり、この円孔１２６Ａから容易に抜け出ることができる。
【００６０】
取付部１２６の円孔１２６Ａから抜け出ると、パネル保持部材１００は自由な状態となり、下端部の軸部１２２Ａを中心に回動することで、徐々に傾斜していく。
【００６１】
ここで、３０°から４５°程度回動すると、突起部１２２Ｆとストッパ部１００Ａとが当接し、回動が阻止される。この状態では、作業者がパネル保持部材１００を保持していなくても、回動状態が維持される。この状態が、着脱位置となる。
【００６２】
すなわち、ビス等が使用されていないため、工具（ドイラバー等）が不要であり、また、ビスの場合、取り外したときに紛失しないように管理する必要があるが、グロメット１２８は、パネル保持部材１００からは脱落しないため、このような管理が不要となる。
【００６３】
また、この回動の際、パネル保持部材１００に設けられた制御基板１１０への配線ハーネス１１２が回動中心である下辺近傍を跨ぐように取り回されているため、パネル保持部材１００の回動によって、配線ハーネス１１２が突っ張ったり、捩れたりして、断線等を生じることがない。
【００６４】
パネル保持部材１００の着脱位置では、表示パネル部３１２が容易に取り外せるため、作業者は別の表示パネル部３１２と交換を行う。この際、パネル保持部材１００を保持しておく必要がないため、作業者の両手が使え、作業効率がよい。
【００６５】
パネル表示部３１２の交換が終了すると、パネル保持部材１００を再度逆方向に回動させて、固定部１２４の３方の縦壁部内に取付部１２６を収容する。
【００６６】
このとき、中央の固定部１２４には突起部１２４Ｂが設けられ、中央の取付部１２６には、前記突起部１２４Ｂを緊密に収容する円孔１２６Ｂが設けられており、突起部１２４Ｂが円孔１２６Ｂに嵌入されることで、パネル保持部材１００の位置決めがなされ、取付部１２６の円孔１２６Ａと、固定部１２４の円孔１２４Ａとが同軸となる。これにより、グロメット１２８は、再度取付部１２６の円孔１２６Ａに挿入される。
【００６７】
この状態で、プランジャー部１２８Ｂを押し込み、完全挿入状態とする。プランジャー部１２８Ｂが完全挿入状態となると、グロメット部１２８Ａが内側から外側に向けて押圧されるため、立て割部分が広がり、外径が取付部１２６の円孔１２６Ａの内径よりも大きい状態で保持され、固定される。
【００６８】
以上説明したように本実施の形態では、パネル保持部材１００の上辺をグロメット１２８で固定すると共に、下辺を回転軸として回動動作で挟持位置及び着脱位置に移動させるようにし、かつ着脱位置では３０°から４５°の傾斜角度で保持できるようにしたため、表示パネル部３１２の交換作業が容易となる。また、ビス等の完全にパネル保持部材１００から離間される部材を使用しないため、取り外したときの紛失防止の管理が不要となる。
【００６９】
さらに、配線ハーネス１１２を回動軸である下辺側に集中させたため、パネル保持部材１００の移動の際に配線ハーネス１１２を一時的に取り外すといった付加的な作業が不要となり、作業効率が向上する。
【００７０】
なお、本実施の形態では、図柄を表示する窓を設けたパネル表示部３１２を対象として交換作業が容易な構造を説明したが、図６及び図７に示すようにパチスロ機３００のテーマを表現するための絵柄等が表示されたパネル１３０を交換するための保持部材１３２の開閉構造として適用してもよい。
【００７１】
また、本実施の形態では、回胴式の遊技機の代表としてパチスロ機３００を例にとり説明したが、図１２に示すようなパチンコ球を遊技媒体として用いた遊技機４００であっても、同様の構造をとることができる。
【００７２】
以下、このような遊技機４００の構成について説明するが、図２に示したパチスロ機３００の構成と同一の構成部分については、同一の符号を付して構成の説明を省略する。
【００７３】
図１２に示される如く、停止ボタン３５６Ａ、３５６Ｂ、３５６Ｃの上部にはパチンコ球を貯留可能な上皿４０２が設けられ、その下部に同じくパチンコ球を貯留可能な下皿４０４が設けられている。上皿４０２には、１枚ベットボタン３５２Ａ、マックスベットボタン３５２Ｂの操作に応じて、所定数のパチンコ球を回収する機構が設けられている。また、この上皿４０２には、遊技の結果に応じてパチンコ球が賞球されるようになっている。なお、上皿４０２が満杯となると、自動的にパチンコ球が下皿４０４へオーバーフローされるようになっている。
【００７４】
この遊技機４００では、メダルの代わりにパチンコ球によって遊技が可能であるため、パチンコ機との併設の際に遊技者は単一種の遊技媒体に異なる遊技機での遊技が可能となる。
【００７５】
【発明の効果】
以上説明した如く本発明では、化粧パネルを交換する際に、化粧パネル以外の周辺部材の着脱を必要とせず、かつ治工具が不要で簡単に交換作業を行うことができるという優れた効果を有する。
【図面の簡単な説明】
【図１】本実施の形態に係るパチスロ機の斜視図である。
【図２】本実施の形態に係るパチスロ機の正面図である。
【図３】本実施の形態に係る表示部及び操作部の拡大正面図である。
【図４】操作兼装飾部の背面側を示す斜視図（パネル保持部材の挟持位置状態）である。
【図５】操作兼装飾部の背面側を示す斜視図（パネル保持部材の装着位置状態）である。
【図６】パネル保持部材の挟持位置状態での操作兼装飾部の側面図である。
【図７】パネル保持部材の装着位置状態での操作兼装飾部の側面図である。
【図８】回転支持部の拡大側面図である。
【図９】回転支持部の分解斜視図である。
【図１０】固定部の拡大斜視図である。
【図１１】図１０のＸＩ−ＸＩ線断面図である。
【図１２】変形例に係る遊技機の正面図である。
【符号の説明】
１００　　パネル保持部材
１１６　　引掛け部
１１６Ａ　　切欠部
１１８　　ボス部
１２０　　ビス
１２２　連結部材
１２２Ａ　　軸部
１２４　　固定部
１２６　　取付部
１２８　　グロメット
１２８Ａ　グロメット部
１２８Ｂ　　プランジャー部
３００　　パチスロ機（遊技機）
３０３　　操作兼装飾部
３１２　　表示パネル部
【図１】
2004016320.tif 000003
【図２】
2004016320.tif 000004
【図３】
2004016320.tif 000005
【図４】
2004016320.tif 000006
【図５】
2004016320.tif 000007
【図６】
2004016320.tif 000008
【図７】
2004016320.tif 000009
【図８】
2004016320.tif 000010
【図９】
2004016320.tif 000011
【図１０】
2004016320.tif 000012
【図１１】
2004016320.tif 000013
【図１２】
2004016320.tif 000014